(57)【要約】  【課題】正しい音高での演奏を容易に行なうことを可能にするフレットレス擦弦楽器を提供する。  【解決手段】棹部２の先端部に設けられた上駒部８と胴部１に設けられた下駒部５とに亘って張設された弦７を有し、指板３上において下駒部から次の式で規定される距離Ｌn離れた位置を中央とするガイド用係止部１０，２０，３０を設けたフレットレス擦弦楽器。    【数７】2007256520.tif 000009但し、Ｌnは下駒部から上駒部に向かっての離間距離、Ｌwは上駒部と下駒部との離間距離、ｎは開放弦の音高から高音側へ半音刻みで音階を数えたときの数（開放弦の音高を零と数える）【選択図】図２
2007256520.tif 000002
【特許請求の範囲】
【請求項１】
指板を備えた棹部と胴部とを有し、前記棹部の先端部に設けられた上駒部と前記胴部に設けられた下駒部とに亘って弦が張設された擦弦楽器において、前記下駒部から次式で示す距離Ｌn離れた指板上の離反位置において弦を指で押さえたときに、押さえた位置から前記下駒部までの弦長が有効振動弦長となるように、弦と接触し得る指板上の領域で、前記離反位置を中央としてガイド用係止部を設け、各ガイド用係止部は、該ガイド用係止部上を指で押圧したとき及び該ガイド用係止部より上駒部側を指で押圧したときのいずれにおいても、各押圧箇所を基端部とする弦振動を生じるように小さい部位からなることを特徴とするフレットレス擦弦楽器。
【数１】
2007256520.tif 000007
但し、
Ｌnは下駒部から上駒部へ向かっての離間距離、
Ｌwは上駒部と下駒部との離間距離、
ｎは開放弦の音高から高音側へ半音刻みで音階を数えたときの数（開放弦の音高を零と数える）
【請求項２】
前記ガイド用係止部が、弦との接触箇所毎に分離して設けられていることを特徴とする請求項１に記載のフレットレス擦弦楽器。
【請求項３】
前記ガイド用係止部が、指板の幅方向において複数の弦に亘って連続して設けられていることを特徴とする請求項１に記載のフレットレス擦弦楽器。
【請求項４】
指板を備えた棹部と胴部とを有し、前記棹部の先端部に設けられた上駒部と前記胴部に設けられた下駒部とに亘って弦が張設された擦弦楽器において、
前記下駒部から次式で示す距離Ｌn離れた指板上の離反位置において弦を指で押さえたときに、押さえた位置から前記下駒部までの弦長が有効振動弦長となるように、ガイド用係止部を前記指板上に設け、各ガイド用係止部は、前記距離Ｌnで示される離反位置を中央として形成され、指で押さえられた弦と接触しないように前記指板における弦接触位置から指板幅方向にずれた位置に設けられていることを特徴とするフレットレス擦弦楽器。
【数２】
2007256520.tif 000008
但し、
Ｌnは下駒部から上駒部に向かっての離間距離、
Ｌwは上駒部と下駒部との離間距離、
ｎは開放弦の音高から高音側へ半音刻みで音階を数えたときの数（開放弦の音高を零と数える）
【発明の詳細な説明】
【技術分野】
【０００１】
本発明は、音階に従った音高を正しく取りやすくしたフレットレス擦弦楽器に関する。フレットレス擦弦楽器には、ヴァイオリン、ヴィオラ、チェロ、コントラバス等のヴァイオリン属弦楽器や二胡、その他、指板にフレットがない弦楽器であって、弓により弦を擦って発音させるものを含む（ピチカート奏法との併用可能なものも含む）。
【背景技術】
【０００２】
弦楽器の内、ギター、マンドリン、ヴィオラ・ダ・ガンバ等は、指板の上にフレットが設けられている。フレットは、音階に従った正しい音高の位置に設定されているので、演奏者は、フレット近傍で弦を押さえて音高を決めることができる。
【０００３】
一方、ヴァイオリン等のフレットレス擦弦楽器は、指板（楽器によっては棹）にフレットが設けられていないので、音高は演奏者が指板に当てがう指の位置で決まる。しかも、指板上には何も目印がないので、正しい音高で演奏するためには、熟練が要求される。その結果、おおよその音高の位置に指を到達させることさえ困難を感じるレベル（初級レベル）がかなり長期間続くこととなり、フレットレス擦弦楽器は、一般人にとって取り付き難いものとなっている。
【０００４】
これに対して、指板にフレットを設けたり、目で見える印を付けたりすることが考えられる。古来から現在に至るまで使用されているヴィオラ・ダ・ガンバは、ガット弦を利用して所定の音程を作る位置で指板に巻き付け、フレットとしてある（例えば、非特許文献１参照）。フレットを設ければ、所望の音程のフレットに対して駒から遠ざかる側（ヘッド側）において弦を指で押さえれば、そのフレットと駒との間が有効振動弦長となる。したがって、フレットの直近位置からヘッド側の隣のフレットの間であれば、弦を押さえる位置がある程度ずれても、正しい音程での演奏が可能となる。しかしながら、フレットを設けると、ヴィブラートが掛かり難い、フレットのエッジで振動部分が決められるので音質が固くなる等の問題が生じる。また、指板に目印を付けても、演奏するときに指板を見続けることは困難であるので実際上は役に立たない。
【０００５】
また、正しい音高は音楽表現上の基本であるので、音階上の音高をある程度とることができるレベル（中級レベル）の者にとっても、より正確な音高をとることが望まれることが多い。
【０００６】
しかしながら、従来、一般人にとって取り付きやすいフレットレス擦弦楽器や、中級レベルの者が容易に正確な音高をとることができるフレットレス擦弦楽器は存在しなかった。
【非特許文献１】中邦彦編集「音楽大事典  第１巻」１９８１年１０月２０日平凡社発行、p.１７９
【発明の開示】
【発明が解決しようとする課題】
【０００７】
したがって、本発明は、正しい音高での演奏を容易に行なうことができるフレットレス擦弦楽器を提供することを目的とする。
【課題を解決するための手段】
【０００８】
本発明は、前記目的を達成するため、指板を備えた棹部と胴部とを有し、前記棹部の先端部に設けられた上駒部と前記胴部に設けられた下駒部とに亘って弦が張設された擦弦楽器において、前記下駒部から次式Ａで示す距離Ｌn離れた指板上の離反位置において弦を指で押さえたときに、押さえた位置から前記下駒部までの弦長が有効振動弦長となるように、弦と接触し得る指板上の領域で、前記離反位置を中央としてガイド用係止部を設け、各ガイド用係止部は、該ガイド用係止部上を指で押圧したとき及び該ガイド用係止部より上駒部側を指で押圧したときのいずれにおいても、各押圧箇所を基端部とする弦振動を生じるように小さい部位からなることを特徴とするフレットレス擦弦楽器を提供するものである。
【０００９】
【数３】
2007256520.tif 000003
すなわち、Ｌn＝Ｌw×２exp(−ｎ／１２）｝
但し、
Ｌnは下駒部から上駒部に向かっての離間距離、
Ｌwは上駒部と下駒部との離間距離、
ｎは開放弦の音高から高音側へ半音刻みで音階を数えたときの数（開放弦の音高を零と数える）
本発明はまた、前記目的を達成するため、指板を備えた棹部と胴部とを有し、前記棹部の先端部に設けられた上駒部と前記胴部に設けられた下駒部とに亘って弦が張設された擦弦楽器において、前記下駒部から前記式Ａで示す距離Ｌn離れた指板上の離反位置において弦を指で押さえたときに、押さえた位置から前記下駒部までの弦長が有効振動弦長となるように、ガイド用係止部を前記指板上に設け、各ガイド用係止部は、前記距離Ｌnで示される離反位置を中央として形成され、指で押さえられた弦と接触しないように前記指板における弦接触位置から指板幅方向にずれた位置に設けられていることを特徴とするフレットレス擦弦楽器を提供するものである。
【００１０】
なお、前記ガイド用係止部を設ける位置は、前記Ｌｎで示される位置に代えて、前記上駒部から下駒部に向かっての離間距離をＬ'ｎとし、前記上駒部から次式Ｂで示される距離Ｌ'ｎ離れた離反位置とすることもできる。
【００１１】
【数４】
2007256520.tif 000004
[作用]
本発明に係るフレットレス擦弦楽器は、指板を備えた棹部と胴部とを有した擦弦楽器において、前記棹部の先端部に設けられた上駒部と前記胴部に設けられた下駒部とに亘って張設された弦を有し、指板には指に対するガイド用係止部が設けられている。ガイド用係止部は、前記下駒部から前記式Ａで示す距離Ｌn離れた指板上の離反位置において弦を指で押さえたときに、押さえた位置から前記下駒部までの弦長が有効振動弦長となるように、弦と接触し得る前記指板上の領域で、前記離反位置を中央として設けられる。
【００１２】
前記式Ａによれば、フレットレス擦弦楽器において、上駒部から下駒部の距離Ｌwを測定値、設計値等により知ることができれば、ガイド用係止部を設けるべき位置を直ちに設定することができる。
【００１３】
式Ａにしたがってガイド用係止部を設定することにより、以下の効果が得られる。平均律音階においては主音から半音上昇する毎に音の振動数は２1/12倍となる。そして、主音から半音をｎ個上昇した音の振動数は、２n/12倍となり、この音に対応する弦長は、弦径等の誤差要因を除けば、２-n/12倍となる。上駒部から下駒部までの弦長をＬwとすると、弦長Ｌwでの振動音に対して、半音をｎ個上昇した音の弦長は、Ｌw×２-n/12となる。本発明では、下駒部からの距離Ｌnを、
【００１４】
【数５】
2007256520.tif 000005
と定義し、下駒部から距離Ｌnの離反位置を中央としてガイド用係止部を設ける。したがって、ガイド用係止部の位置において指で弦を押さえた状態で、擦弦すると、下駒部からその押弦位置までの弦長Ｌw×２-n/12の部分が有効弦長となって振動する。こうして、半音の個数ｎにしたがったガイド用係止部を形成することができ、指による押弦を半音毎又はその倍数の位置へガイドすることができるのである。
【００１５】
特に、各ガイド用係止部は、該ガイド用係止部上を指で押圧したとき及び該ガイド用係止部より上駒部側を指で押圧したときのいずれにおいても、各押圧箇所を基端部とする弦振動を生じるように小さい部位からなる。したがって、ガイド用係止部上へと導かれた指で正しい音高での演奏が可能となると共に、求められる音高がガイド用係止部から外れた位置、特に、ガイド用係止部より上駒部側の指位置に対応する場合でも、その位置で弦を押さえることにより、ガイド用係止部に影響されずに、その押圧位置を基端部とする弦振動を生じさせることができ、求められた音高での演奏が可能となる。
【００１６】
このガイド用係止部は、演奏者が指で弦を押さえたときに、ガイド用係止部の上にあることを凹凸の接触感覚として感じさせるように設けることにより、初級レベルの演奏者でも、その接触感覚に基づいて正しい音高での演奏を容易に行なうことができる。したがって、正しい指位置の習得が容易となり、一般人にも取り付きやすい楽器となる。また、前記ガイド用係止部は、接触時の凹凸感を与えないが指を正しい音高位置に導く程度の凹状等として設けることにより、おおよその音高に至った指を正確な音高位置へ自然に導くことができる。この誘導作用により、中級レベルの演奏者は、正確な音高での演奏を容易に行なうことができる。これらのガイド用係止部は、凹状、凸状、凹凸の波状等、種々の凹凸形状とすることができる。
【００１７】
前記ガイド用係止部は、弦との接触箇所毎に分離して設けることができる。この場合は、各々のガイド用係止部の縁部が指板の長手方向及び幅方向に存在することにより、これら双方において、前述の接触感覚又は誘導作用を演奏者に与えることができる。
【００１８】
或いは、前記ガイド用係止部は、指板の幅方向に複数の弦に亘って連続して設けることができる。この場合は、指板の長手方向に各ガイド用係止部の縁部が存在することにより、音高決定に必要な指板長手方向の位置において、前述の接触感覚又は誘導作用を演奏者に与えることができる。また、指板幅方向に連続した一体のガイド用係止部となるので、製作が容易である。
【００１９】
或いはまた、前記ガイド用係止部は、前記距離Ｌnで示される離反位置を中央として形成され、指で押さえられた弦と接触しないように前記指板における弦接触位置から指板幅方向にずれた位置に設けられたものとすることができる。弦を押さえる指は、弦の径を越えて指板表面に接触する。したがって、指板における弦接触位置から指板幅方向にずれた位置にガイド用係止部を設けることにより、正しい音高位置で、弦を押さえると、同時にガイド用係止部に指が接触し、正しい位置であることを初級レベルの演奏者に認識させることができる。この場合は、指板には、弦との接触箇所に凹部又は凸部が存在しないので、指を弦に接しながら滑らかに移動させ易く、またビブラートを掛けやすい。
【００２０】
前記フレットレス擦弦楽器は、指板表面に合わせた形状のシートが指板に貼り付けられ、前記ガイド用係止部は、該シートに設けられた微小凹凸部によって形成されたものとすることができる。この微小凹凸部は、前記シートに設けられた貫通孔、凹み、凸部等とすることができる。このように、ガイド用係止部をシートの微小凹凸部によって形成することにより、指板へのガイド用係止部の加工が不要となり、フレットレス擦弦楽器の製造が容易となる。また、該シートを脱着自在としておけば、初心者の間はシートを貼着し、上達すれば該シートを剥がすというように、必要に応じて微小凹凸部を楽器に設け、また除去することができる。
【００２１】
本発明はさらに、フレットレス擦弦楽器の指板に貼り付けられる指位置指示シートであって、指板に貼り付けられたときに弦長方向において音階に対応した指位置となる位置を中央として、ガイド用微小凹凸部を設けたシートとすることができる。このガイド用微小凹凸部は、指板に貼り付けられたときに弦と接触し得る箇所を含む領域に設けることができる。或いは、このガイド用微小凹凸部は、指板に貼り付けられたときに、指で押さえられた弦と接触しないように指板における弦接触位置から指板幅方向にずれた位置に設けることができる。
【００２２】
ガイド用微小凹凸部を設ける位置、すなわち、指板に貼り付けられたときに弦長方向において音階に対応した指位置となる位置としては、前記シートが指板に貼り付けられたときに、下駒部から前記式Ａで示す距離Ｌn離れた指板上の離反位置とすることができる。このシートを指板に貼り付けることにより、前記式Ａにしたがったガイド用係止部が形成される。その結果、前記式Ａにしたがったガイド用係止部を有するフレットレス擦弦楽器と同様の効果を得ることができる。
【００２３】
前記ガイド用微小凹凸部は、前記シートが指板に貼り付けられた場合において、該ガイド用微小凹凸部上を指で押圧したとき及び該ガイド用微小凹凸部より上駒部側を指で押圧したときのいずれにおいても、各押圧箇所を基端部とする弦振動を生じるように小さい部位からなるのが望ましい。
【００２４】
これらのシートは、滑らかな表面の指板に貼着すれば、前記微小凹凸部がガイド用係止部となる。したがって、指板自体に凹凸加工を施さなくてもよく、所望のガイド用係止部を備えたフレットレス擦弦楽器の製造が容易になる。また、既存の通常のフレットレス擦弦楽器に対しても、ユーザー自身が、接着剤又は粘着剤で指位置指示シートを指板に貼り付けることができる。したがって、前述の接触感覚又は誘導作用を与えるフレットレス擦弦楽器を簡便に得ることができる。さらに、該シートを取り外せば、もとの指板の状態に戻すことができる。したがって、初級レベル及び中級レベルの各々の者は、必要に応じてガイド用係止部を楽器に設け、また除去することができる。
【発明の効果】
【００２５】
上記の通り、本発明によれば、正しい音高での演奏を容易に行なうことができるフレットレス擦弦楽器を提供することができる。
【発明を実施するための最良の形態】
【００２６】
以下、本発明の実施形態について添付図面を参照しつつ説明する。図に示す実施形態において、同一又は同種の部分には同一の番号を付して説明を省略することがある。
【００２７】
図１は、本発明をヴァイオリンに適用した一実施形態を示しており、（ａ）は正面図、（ｂ）は側面図である。このヴァイオリンは、胴部１、ネック（棹部）２、指板３、糸巻き４、駒（下駒部）５、テールピース６、弦７、ナット（上駒部）８等を備えた通常の基本形態を備えている。ネック２には指板３が通常の形態で貼着されている。この実施形態においては、指板３に以下に説明するガイド用係止部が設けられている。
【００２８】
図２は、ガイド用係止部１０の一形態を備えたヴァイオリンを、指板３を中心として示している。このガイド用係止部１０は、指板上において、下駒部５から次の式Ａで規定される距離Ｌnの位置を中央として設けられている。
【００２９】
【数６】
2007256520.tif 000006
ここで、Ｌnは下駒部から上駒部に向かっての離間距離、Ｌwは上駒部と下駒部との離間距離、ｎは開放弦の音高から高音側へ半音刻みで音階を数えたときの数（開放弦の音高を零と数える）である。
【００３０】
また、この実施形態においては、ガイド用係止部１０が弦７との接触箇所毎に分離して設けられている。すなわち、ガイド用係止部１０は、Ｇ線（最も低音の弦）、Ｄ線、Ａ線、Ｅ線（最も高音の弦）のそれぞれに対応する位置に設けられており、具体的には、上記式において、ｎを１〜１０までとして得られる距離Ｌ1〜Ｌ10の位置であり、これらは以下の音高の位置に該当する。図２に示したＧ、Ｄ、Ａ、Ｅは、各々弦の音名を表している。
・Ｇ線での位置：Ｇ＃、Ａ、Ａ＃、Ｂ、Ｃ、Ｃ＃、Ｄ、Ｄ＃、Ｅ、Ｆ
・Ｄ線での位置：Ｄ＃、Ｅ、Ｆ、Ｆ＃、Ｇ、Ｇ＃、Ａ、Ａ＃、Ｂ、Ｃ
・Ａ線での位置：Ａ＃、Ｂ、Ｃ、Ｃ＃、Ｄ、Ｄ＃、Ｅ、Ｆ、Ｆ＃、Ｇ
・Ｅ線での位置：Ｆ、Ｆ＃、Ｇ、Ｇ＃、Ａ、Ａ＃、Ｂ、Ｃ、Ｃ＃、Ｄ
これらの位置は、フィンガリングにおける第１ポジションの第１指（人差し指）から第３ポジションの第４指（小指）に至るまでの半音階に該当する位置の全てである。尤も、これらのガイド用係止部１０は、上記音高の位置より低い音の位置まで（例えば、第１ポジションの第４指に該当する位置まで）に留めることもできるし、さらに高い音の位置まで設けることもできる。また、ｎの値の増分を１又は２など適宜混在させることにより、半音階全ての位置でなく、特定の調（例えば、ハ長調、ニ長調等）の７音の位置を必要なオクターブに亘って設けることも可能である。
【００３１】
図３の（ａ）はネック（棹部）２及び指板３を弦に沿って切断した断面を示しており、（ｂ）はガイド用係止部１０周辺の拡大図である。これらの図及び以下の断面図においては、ガイド用係止部を明確に示すために、高さ又は深さを実際より拡大して示している。図示の例では、ガイド用係止部１０は、凹状とされ、球面の一部を指板長手方向に長くした形状（繭形又は卵形の一部の形状）をなしている。ガイド用係止部１０の形状及び寸法は、対象とする演奏者のレベルに応じて、以下のように決められる。
【００３２】
演奏者が初級レベル、すなわち、おおよその音高の位置に指を到達させるのに困難を感じるレベルの場合は、ガイド用係止部１０は、指が該ガイド用係止部に位置することを感じさせるように、大きめで且つ深めとする。この観点から、ガイド用係止部１０は、図３（ｂ）に示す縦径Ｕ（弦が延びる方向の寸法）が３〜１０mm、横径（縦径Ｕに直交する方向の寸法）が３〜７mm、深さＶが０．５〜２ｍｍであるのが望ましい。また、ガイド用係止部１０と指板表面との境界は角張ったエッジとしてもよい。
【００３３】
演奏者が中級レベル、すなわち、おおよその音高に指を到達させることができるが、正確な音高に到達させるのに困難を感じるレベルの場合は、ガイド用係止部１０は、指が該ガイド用係止部に位置することを感じさせない程度で、且つ指を誘導して正しい音高の位置に至らしめるように、小さめで且つ浅めとする。この観点から、ガイド用係止部１０は、図３（ｂ）に示す縦径Ｕが１〜５mm、横径が１〜５mm、深さＶが０．２〜１ｍｍであるのが望ましい。また、ガイド用係止部１０と指板との境界は滑らかに変化させるのが望ましい。
【００３４】
さらに、このガイド用係止部１０は、図６に示すように、ガイド用係止部１０上を指ｄで押圧したとき（図６(a)）、及びガイド用係止部１０より上駒部側を指ｄで押圧したとき（図６(b)）のいずれにおいても、各押圧箇所を基端部として弦７が振動を生じるように小さい部位からなる。したがって、ガイド用係止部上へと導かれた指ｄで正しい音高での演奏が可能となると共に、求められる音高がガイド用係止部より上駒部側の指位置に対応する場合でも、ガイド用係止部に影響されずに、指ｄで押圧された位置を基端部とする弦振動を生じさせることができ、求められた音高での演奏が可能となる。この点は、純正調、平均律等、演奏時の音階によって同じ音名でも指位置が僅かに異なるので、このような場合や、通常の音階音程から外れた音高での演奏をする場合に有効である。これに対し、ガイド用係止部が大き過ぎると、求められる音高がガイド用係止部より上駒部側の指位置に対応する場合に、その音高での演奏ができない。図７は、これを分かりやすくするために、凸形の係止部ｆ、ｆ’を指板３に設けた場合を示している。図において、指ｄは係止部ｆ’より上駒部側（図の左側）で弦７を指板に押しつけているにも拘わらず、弦は指ｄより下駒部側（図の右側）の係止部ｆ’に接触している。その結果、演奏時に弦７は、指ｄより下駒部側の係止部ｆ’を基端として振動することになる。したがって演奏音は、指ｄで押さえた位置ではなく、係止部ｆ’に対応した音高となってしまう。ガイド用係止部の寸法を上記のように小さくすること、及びそれによって得られる利点は、以下の他の実施形態についてもあてはまる。
【００３５】
図４は、ガイド用係止部１０の他の形状を示している。このガイド用係止部１０は、平面形状が図２に示したものであり、断面が図４（ａ）に示した凹状となっている。このガイド用係止部の縦径Ｕ及び深さＶについての望ましい寸法については、図３のものについて説明したものがあてはまる。
【００３６】
これらの他、ガイド用係止部１０は、平面視において、円形、長円形、楕円形等、曲線で囲まれた形状、或いは、正方形、長方形、六角形等の多角形等とすることができ、弦に沿う断面の形状は、円形、長円形、楕円形等の一部で描かれる弧状、或いは、三角形、長方形等の多角形状とすることができる。
【００３７】
また、ガイド用係止部は、前述のような凹状とする他、図５（ａ）に示す微小な凸状のガイド用係止部１４、又は図５（ｂ）、（ｃ）に示す波状のガイド用係止部１６、１７とすることもできる。但し、凸状とする場合は、指で押さえられた弦がガイド用係止部から脱落しないように、指板上面で指板幅方向に延びる輪郭線を平ら又は僅かに窪んだ形状とするのが望ましい。また、凸状ガイド用係止部１４の望ましい寸法は、縦径が０．３〜２mm、横径が３〜５mm、高さが０．１〜０．５ｍｍであり、演奏者が中級レベルの場合は、縦径が０．３〜１．５mm、横径が２〜５mm、高さが０．１〜０．４ｍｍである。
【００３８】
図５（ｂ）、（ｃ）に示す波状ガイド用係止部１６，１７は、指板の長手方向に微小凹凸を繰り返す波状となっている。凹凸形状は、図５（ｂ）に示すように凹部下端の高さを指板面に合わせ、或いは図５（ｃ）に示すように凸部先端の高さを指板面に合わせるようにすることができ、また、これらの中間の凹凸状態とすることもできる。図５（ｂ）のガイド用係止部１６は縦径Ｕを１〜２mm、図５（ｃ）のガイド用係止部１７は縦径Ｕを１．５〜３mmとするのが望ましく、いずれの場合も横径を３〜５mm、高さ又は深さＶを０．０５〜０．５ｍｍ、波のピッチを０．２〜０．５mmとするのが望ましい。
【００３９】
図８は、ガイド用係止部の他の形態を示している。このガイド用係止部２０は、指板３の幅方向において４本の弦に亘って連続して設けられている。すなわち、この実施形態においては、各ガイド用係止部２０は、指板３の幅方向全体に延びる溝の形態とされている。そして、このガイド用係止部２０も、指板上において下駒部から前述の式Ａで規定される距離Ｌnの位置を中央として設けられている。
【００４０】
ガイド用係止部２０、ネック（棹部）２及び指板３を弦に沿って切断した断面の形状は、先に示した図３又は図４と同じである。また、ガイド用係止部２０の幅（指板長手方向の寸法）及び深さの望ましい範囲は、図３又は図４に示した縦径Ｕ、深さＶと同じである。演奏者が初級レベルか中級レベルかによって、ガイド用係止部２０の寸法が決められる点、及び凹状に代えて凸状又は波状とできる点も、前述の例と同様である。
【００４１】
図９は、本発明に係るヴァイオリンのさらに他の形態を示している。このヴァイオリンは、指板上ににおいて下駒部から前述の式Ａで規定される距離Ｌnの位置を中央として、弦７に対し指板幅方向に接近した箇所にガイド用係止部３０が設けられている。すなわち、ガイド用係止部３０は、指で押さえられた弦と接触しないように前記指板における弦接触位置から指板幅方向にずれた位置に設けられている。この実施形態においては、弦７を指で押圧したときに、ガイド用係止部３０は、弦とは接触しない。しかし、弦を押さえる指は、弦の径を越えて指板表面に接触するので、指が正しい音高の位置にあればガイド用係止部に接触することとなる。これにより、演奏者は、押圧している指が正しい音高の位置にあることを認識することができる。また、この実施形態においては、指板３における弦７との接触箇所には、ガイド用係止部３０が存在しないので、指を弦に接しながら滑らかに移動させ易く、ビブラートも掛けやすい。また、純正調、平均律等、演奏時の音階によって同じ音名でも指位置が僅かに異なるが、それらに合わせた適正音高の位置に指を移動させやすい。
【００４２】
このガイド用係止部３０を凹状とする場合は、ネック２及び指板３を弦に沿って切断した断面の形状は、図３又は図４に示したものと同様とすることができる。また、これらのガイド用係止部の望ましい寸法は図２に示した実施形態において説明したものと同じである。ガイド用係止部３０は、弦を押圧する指が正しい音高の位置にあるかどうかを認識させる作用を奏するので、特に初級レベルの演奏者に好適である。
【００４３】
ガイド用係止部を凸状に形成する場合は、縦径を０．５〜２mm、横径を１〜３mm、高さを０．１〜０．５ｍｍとするのが望ましい。縦径に直交する横径は、指による感知の他、弦振動に干渉しないようにするとの観点から、上記範囲が望ましい。
【００４４】
なお、この実施形態では、ガイド用係止部３０は弦と弦との間に設けているが、さらに、図９に一部を破線で示すように、弦と指板エッジとの間にも設けることもできる。
【００４５】
これらのガイド用係止部を木製の指板に凹状に形成するには、図１０に示すような成形型を用いてプレス成形をすることができる。この成形型は、指板３を挟むように対向する下型１１０と上型１２０とを備えている。図は、指板３、下型１１０及び上型１２０を指板長手方向の途中で切断し、プレス面の構造を示すため斜めに開いた状態で示している。下型１１０には、指板３を受け入れる凹所１１１が形成されており、上型１２０には指板３の上面に沿う形状の凹所１２１が形成されている。凹所１２１の湾曲面には、ガイド用係止部に対応した位置及び寸法で突起１２２が形成されている。製造時には、下型１１０及び上型１２０の間に指板３を挟んでプレスする。
【００４６】
ガイド用係止部を凸状に形成する場合は、前記上型の突起１２２に代えて窪みを形成し、該窪み以外の指板部分を圧縮変形させることにより、該窪みに対応する微小凸部を得ることができる。ガイド用係止部を波状に形成する場合は、前記突起に代えて、ガイド用係止部の波状と反対の凹凸をなす波状部を上型に形成すればよい。
【００４７】
プレスによりガイド用係止部の凹凸を成形するには、木材のプレス加工に用いられる種々の方法を適用することができる。例えば、少なくとも凹凸を形成すべき箇所を木材の軟化温度まで昇温させてプレス加工をすることができ、昇温時の温度は、例えば４０〜１００℃とすることができる。また、予め材料を１００℃で煮沸したり８０〜１２０℃の水蒸気中に置くことによって軟化させ、その後にプレス加工を行なってもよい。或いは、プレス中にキャビティ内の材料を加熱してもよく、その場合の加熱温度は、１２０〜２００℃とすることができる。また、プレス加工時の圧力は、０．７〜５ＭＰａとすることができる。これらの加熱及び加圧の条件は、木材の種類、凹凸の数や寸法などに応じて、成形精度及び成形後の形状維持が確実に得られ、且つ木材に割れ、ひび等が生じないように決められる。プレス加工は、切り出された指板毎に行なってもよいし、大判の板に対してプレスし、その後に個々の指板を切り出すようにしてもよい。
【００４８】
また、指板をプラスチック製とし、凹凸部付きの型を用いたモールド成形により、ガイド用係止部を備えた指板を得ることもできる。
【００４９】
図１１及び図１２は各々、本発明に係るヴァイオリンのさらに他の形態を示している。図１１に示すヴァイオリンは、指板３の表面に合わせた形状のシート５０が指板表面に貼り付けられ、ガイド用係止部は、シート５０に設けられた微小凹凸部によって形成されている。この実施形態においては、各微小凹凸部は小さい窪み５１の形態をとっている。図１２に示すヴァイオリンは、同様のシート６０が指板表面に貼り付けられ、ガイド用係止部は、シート６０に設けられた微小凹凸部によって形成されている。図１２の実施形態においては、各微小凹凸部は、シート６０に設けられた小さい貫通孔６１の形態をとっている。
【００５０】
これらのシート５０及び６０は、木、紙、プラスチック、ゴム、布、不織布等、弦の接触圧に対する保形性を有し、演奏時の指による摩擦に耐える種々の材料で製作することができる。また、木、紙、発泡プラスチック、発泡ゴム、布、不織布等の空隙性材料に対しては、プラスチック等を含浸してもよい。シート表面は、指の滑りに対して適度の摩擦抵抗を示すのがよく、通常の黒檀製指板程度の摩擦係数を有するように粗面化してもよい。
【００５１】
シート本体（シートにおける微小凹凸部以外の全体的部分）は、適切な深さの窪み５１又は貫通孔６１が形成される厚さを有する。シート本体が薄い場合には、指板３を通常の厚さとしたまま、その表面にシートを貼着することができる。また、そのような薄さの場合には、シートの長さを、微小凹凸部が設けられた範囲に留めることも可能である。このためのシート本体の望ましい厚さは、０．３〜０．６ｍｍである。一方、シート本体がこれより厚い場合は、該シート本体の厚さに応じて、指板３の厚さを決めるのが望ましい。また、シートの長さは、指板上に厚みによる段差が生じないように、指板３全体に亘る寸法とするのが望ましい。或いは、シートを、ガイド用係止部が設けられた範囲とする等、指板の途中までの長さとする場合は、指板のシート貼着部分をシート本体の厚さに応じて薄くするのが望ましい。
【００５２】
窪み５１及び貫通孔６１は、図２に示したように弦との接触箇所毎に分離した配置及び形状とすることができ、或いは、図８に示したように指板の幅方向において複数の弦に亘って連続して設けることもできる。また、弦に沿う断面の形状については、シート５０又は６０を指板に貼着したときに、窪み５１及び貫通孔６１が、例えば、図３又は図４に示したガイド用係止部を形成するように決められる。また、こうして形成されるガイド用係止部の形状や配置については、図２から図９について行なった説明があてはまる。
【００５３】
窪み５１の形成は、シート５０に対するプレス、切削等の加工によって行なうことができ、或いは、プラスチックによるシート５０の成形時に同時に形成することができる。また、貫通孔６１の形成は、シート６０に対する打ち抜き等の加工、又は、プラスチックによるシート５０の成形時に行なうことができる。
【００５４】
なお、指板幅方向において複数の弦に亘って連続した凹状のガイド用係止部をシート６０によって得る場合は、指板３表面の両側の縁部に沿う部分を残して、ガイド用係止部に相当する貫通孔を形成することができる。これにより、シート６０は、微小凹凸部によって切断されることなく、指板長手方向に連続したものとすることができる。或いは、シート６０を複数のシート片に分割し、それぞれをガイド用係止部に相当する間隔で指板３に貼り付けることもできる。これにより、シート片の間に凹状のガイド用係止部が形成される。
【００５５】
図１３（ａ）は、積層されたシート７０の微小凹凸部７１によって、ガイド用係止部を形成したヴァイオリンの例を示している。シート７０は、図１３（ｂ）に示すように、指に接する表面シート７３の裏面に接着剤層７４を介して基材シート７５が接着され、基材シート７５の裏面に粘着層７６が形成され、その裏面側に剥離シート７７が貼着されている。この実施形態に係るヴァイオリンは、剥離シート７７を剥がしたシート７０を指板３に対し、粘着層７６で接着したものである。表面シート７３及び接着剤層７４には貫通孔が形成され、これが基材シート７５に接着されることにより、シート７０に窪み状の微小凹凸部７１が形成されている。
【００５６】
表面シート７３及び基材シート７５は、木、紙、プラスチック、ゴム、布、不織布等の材料で製作することができ、図１１及び図１２の実施形態に関して説明したと同様の含浸や粗面化等の加工を施すことができる。但し、表面シート７３については、黒檀製指板に近い感触や外観が得られるように材料や加工が選択され、基材シート７５については、強度、表面シート７３及び指板３双方への接着の確実性等が得られるように材料や加工が選択されるのが望ましい。さらに、表面シート７３及び基材シート７５のいずれか又は双方を、複数の層で形成することも可能である。
【００５７】
このシート７０は、指板３に貼着されることにより、図２，図８又は図９に示した実施形態のガイド用係止部が形成されるように、微小凹凸部７１の配置や形状を設定することができる。
【００５８】
上記シート５０，６０，７０の微小凹凸部は、図５（ａ）、（ｂ）、（ｃ）と共に説明した凸状や波状とすることもでき、望ましい寸法についてもその説明があてはまる。
【００５９】
次に、上に述べたヴァイオリンを実現するための指位置指示シートについて説明する。図１４に示す指位置指示シート９０は、図１１に示したヴァイオリンの指板３に貼着されたシート５０と同様のものであり、シート本体９２の表面に多数の微小凹凸部９１が設けられている。指位置指示シートは、この他、図１２、図１３に示したヴァイオリンに用いられたシート５０，６０，７０を指板から分離した形態のもの等とすることができる。この指位置指示シートは、予め裏面に粘着層を設け、該粘着層を剥離紙で覆ったものとするのが望ましい。これにより、ヴァイオリン製造時又はユーザが必要とする時に、剥離紙を剥がして容易に指板に貼り付けることができる。
【００６０】
また、指位置指示シートの粘着層は、一旦指板に貼着した指位置指示シートをユーザが引き剥がせる程度の粘着性を有するものとするのが望ましい。これにより、指位置のガイドが不要となったときに、指位置指示シートを剥がして、通常のヴァイオリンとして使用することも可能となる。このように、指位置指示シートの貼着及び剥離双方の状態での使用を意図する場合は、指位置指示シートを薄くするのが望ましい。これにより、双方の状態の間で、指位置指示シート又は指板の表面と弦との間隔の変化を小さくすることができる。また、弦との間隔を一定にするために、ガイド用係止部を有する指位置指示シートを剥がした後に、ガイド用係止部を備えない滑らかな表面のシートを貼着するようにしてもよい。
【００６１】
以上では、本発明のヴァイオリンに適用した例を示したが、楽器の大きさ、演奏時の持ち方等を考慮してガイド用係止部や微小凹凸部の形状、寸法等を決めることにより、ヴィオラ、チェロ、コントラバス等のヴァイオリン属弦楽器や二胡等の擦弦楽器、その他のフレットレス擦弦楽器に対して本発明を適用することができる。本発明をチェロやコントラバスに適用する場合は、ガイド用係止部及び微小凹凸部については、前述の望ましい数値範囲を適宜変更するのが望ましく、例えば、ヴァイオリンの場合の２倍乃至３倍として適用することができる。
【００６２】
また、ガイド用係止部及び微小凹凸部は、全ての弦に対応して設ける他、一部の弦のみに対応して設けてもよい。これは、弦との接触箇所毎に分離して設けられる場合  、及び指板の幅方向において複数の弦に亘って連続して設けられる場合の双方にあてはまる。さらに、上記分離タイプ及び連続タイプの双方を１つの楽器中に混在させることも可能である。
【図面の簡単な説明】
【００６３】
【図１】本発明を適用したヴァイオリンの一例を示し、（ａ）は正面図、（ｂ）は側面図である。
【図２】本発明の一実施形態に係るヴァイオリンの要部を拡大して示す正面図である。
【図３】図２に示したヴァイオリンの、弦に沿う断面の一形態を示す図であり、（ａ）はヴァイオリンの要部、（ｂ）はガイド用係止部を示す。
【図４】図２に示したヴァイオリンの、弦に沿う断面の他の形態を示す図であり、（ａ）はヴァイオリンの要部、（ｂ）はガイド用係止部を示す。
【図５】図２に示したヴァイオリンの、弦に沿う断面のさらに他の形態を示す図であり、（ａ）、（ｂ）、（ｃ）はガイド用係止部のさらに他の例を示す。
【図６】本発明に係るヴァイオリンのガイド用係止部に関する説明図である。
【図７】本発明とは異なる擦弦楽器に設けられた係止部に関する説明図である。
【図８】本発明の他の実施形態に係るヴァイオリンの要部を拡大して示す正面図である。
【図９】本発明のさらに他の実施形態に係るヴァイオリンの要部を拡大して示す正面図である。
【図１０】図３に示したヴァイオリンの指板のガイド用係止部を形成するためのプレス型の一例を示す斜視図である。
【図１１】本発明のさらに他の実施形態に係るヴァイオリンの要部を弦に沿う断面で示す図である。
【図１２】本発明のさらに他の実施形態に係るヴァイオリンの要部を弦に沿う断面で示す図である。
【図１３】本発明のさらに他の実施形態に係るヴァイオリンを弦に沿う断面で示す図であり、（ａ）はヴァイオリンの要部、（ｂ）は指位置指示シートの要部を示す。
【図１４】本発明の一実施形態に係る指位置指示シートの斜視図である。
【符号の説明】
【００６４】
２：ネック（棹部）、  ３：指板、  ７：弦、  ８：ナット（上駒部）、  １０，２０，３０：ガイド用係止部、  ５０，６０，７０：シート、  ５１：窪み（微小凹凸部）、  ６１：貫通孔（微小凹凸部）、  ７１，９１：微小凹凸部、  ９０：指位置指示シート
【図１】
2007256520.tif 000010
【図２】
2007256520.tif 000011
【図３】
2007256520.tif 000012
【図４】
2007256520.tif 000013
【図５】
2007256520.tif 000014
【図６】
2007256520.tif 000015
【図７】
2007256520.tif 000016
【図８】
2007256520.tif 000017
【図９】
2007256520.tif 000018
【図１０】
2007256520.tif 000019
【図１１】
2007256520.tif 000020
【図１２】
2007256520.tif 000021
【図１３】
2007256520.tif 000022
【図１４】
2007256520.tif 000023